(57)【要約】      （修正有）【課題】重量床衝撃音および軽量床衝撃音の双方をバランスよく軽減することができる建築物の遮音構造を提供する。【解決手段】遮音構造１は、構造躯体２であるＨ形鋼３の上に取り付けられたＡＬＣ材４と、ＡＬＣ材の上に敷設された遮音マット５と、遮音マットの上に敷設された合板６と、合板の上に敷設された床石膏ボード７とを備え、合板と床石膏ボードとが弾性接着剤８によって接着されている。【選択図】図１
0003227408.tif 000002
【実用新案登録請求の範囲】
【請求項１】
構造躯体の上に取り付けられた軽量気泡コンクリート材と、
前記軽量気泡コンクリート材の上に敷設された遮音マットと、
前記遮音マットの上に敷設された合板と、
前記合板の上に敷設された床石膏ボードと、を備え、
前記合板と前記床石膏ボードとが弾性接着剤によって接着された、
ことを特徴とする遮音構造。
【請求項２】
前記構造躯体に取り付けられた野縁下地材と、
前記野縁下地材に取り付けられた防振吊木と、
前記防振吊木に取り付けられた野縁部材と、
前記野縁部材の下に取り付けられた天井石膏ボードと、を備え、
前記野縁部材の上に吸音材が敷設された、
ことを特徴とする請求項１に記載された遮音構造。
【請求項３】
前記天井石膏ボードが２枚重ねである、
ことを特徴とする請求項２に記載された遮音構造。
【請求項４】
前記野縁下地材と前記防振吊木とが、前記野縁下地材に取り付けられた吊木受けを介して取り付けられている、
ことを特徴とする請求項２または請求項３に記載の遮音構造。
【請求項５】
前記構造躯体がＨ形鋼であり、
前記Ｈ形鋼のウェブ部に沿って吸音材が敷き詰められた、
ことを特徴とする請求項１から請求項４のいずれか１項に記載された遮音構造。
【考案の詳細な説明】
【技術分野】
【０００１】
本考案は、遮音構造に関するものである。
【背景技術】
【０００２】
従来から、集合住宅等の居住性においては、音環境の良し悪しが大きな要素として着目されている。特に、集合住宅等の下層階では、上層階における人の歩行や物の落下等による床衝撃音が、上層階と下層階との間に位置する界床を通じて伝わりやすく、居住者同士の騒音トラブルに発展することもある。そこで、この床衝撃音を抑制して音環境の改善をするため、遮音に関する様々な材料およびそれらの材料を用いた種々の組み合わせからなる構造等が提案されている（例えば、特許文献１）。
【０００３】
ところで、上層階から下層階に伝わる床衝撃音には、重量床衝撃音（ＬＨ）と軽量床衝撃音（ＬＬ）とが存在する。重量床衝撃音とは、子供が飛び跳ねた時、重い物が床に落下した時または椅子等の家具が引きずられた時等の「ドスン」「ガタン」等の鈍くて低い音のことをいい、軽量床衝撃音とは、コインや食器等の比較的軽い物が床に落下した時または人がスリッパを履いて歩いた時等の「チャリーン」「コツン」「パタパタ」等の軽めの高い音をいう。そして、床衝撃音に対する遮音性については、これらの床衝撃音がどの程度上層階から下層階に伝わるのか、床衝撃音遮断性能試験（ＪＩＳ  Ａ  １４１８−２  建築物の床衝撃音遮断性能の測定方法に基づく試験）で測定され、音を遮る能力レベルの指標となる遮音等級(Ｌ値)によって表される。
【０００４】
ここで、特許文献１に記載された発明に係る遮音床構造は、上記の試験の結果として、２級程度（Ｌ−５５）の遮音性能を有していることが示されている。この等級は、「床衝撃音が少し気になるが注意すれば問題ない」程度の遮音性とされており、居住空間における快適な音環境という面では、未だ改善の余地がある。また、集合住宅等の床衝撃音に対する遮音では、重量床衝撃音および軽量床衝撃音の双方をバランスよく軽減する必要があるところ、特許文献１に記載された発明に係る遮音床構造は、厚みの異なる緩衝材を並列に配置し、その上から床板が敷設されることを特徴とするものであって、主に重量床衝撃音に対する遮音を重点としており、床衝撃音に対する遮音としては十分な床構造とはいえない。
【先行技術文献】
【特許文献】
【０００５】
【特許文献１】特開２０１９−１１２８５８号公報
【考案の概要】
【考案が解決しようとする課題】
【０００６】
そこで、本考案は、重量床衝撃音および軽量床衝撃音の双方をバランスよく軽減することができる遮音構造の提供を目的とする。また、遮音性能を有する各種部材において、それぞれの特徴および性能をうまく組み合わせることで、従来の遮音構造と比較しても遮音性能に優れた遮音構造を提供することにある。
【課題を解決するための手段】
【０００７】
本考案の遮音構造は、構造躯体の上に取り付けられた軽量気泡コンクリート材と、前記軽量気泡コンクリート材の上に敷設された遮音マットと、前記遮音マットの上に敷設された合板と、前記合板の上に敷設された床石膏ボードとを備え、前記合板と前記床石膏ボードとが弾性接着剤によって接着された、ことを特徴とする。
【０００８】
本考案の遮音構造は、前記構造躯体に取り付けられた野縁下地材と、前記野縁下地材に取り付けられた防振吊木と、前記防振吊木に取り付けられた野縁部材と、前記野縁部材の下に取り付けられた天井石膏ボードとを備え、前記野縁部材の上に吸音材が敷設された、ことを特徴とする。
【０００９】
本考案の遮音構造は、前記天井石膏ボードが２枚重ねである、ことを特徴とする。
【００１０】
本考案の遮音構造は、前記野縁下地材と前記防振吊木とが、前記野縁下地材に取り付けられた吊木受けを介して取り付けられている、ことを特徴とする。
【００１１】
本考案の遮音構造は、前記構造躯体がＨ形鋼であり、前記Ｈ形鋼のウェブ部に沿って吸音材が敷き詰められた、ことを特徴とする。
【考案の効果】
【００１２】
本考案の遮音構造は、構造躯体の上に取り付けられた軽量気泡コンクリート材と、軽量気泡コンクリート材の上に敷設された遮音マットと、遮音マットの上に敷設された合板と、合板の上に敷設された床石膏ボードとを備え、合板と床石膏ボードとが弾性接着剤によって接着されている。すなわち、本考案の遮音構造は、上層階において子供が飛び跳ねたり物が落下したりした際に、まず始めに、音を通しにくい性質である床石膏ボードが、一定の床衝撃音を遮断する。次に、この床石膏ボードの下には、合板との間に弾性接着剤が塗布されており、この弾性接着剤が、硬化した後においても弾力性が残存することで、床衝撃音からの振動を吸収し、特に、軽量床衝撃音を軽減する。続けて、この弾性接着剤で接着された合板の下には、遮音マットが敷設されており、この遮音マットが、重量床衝撃音および軽量床衝撃音からの振動を吸収して、床衝撃音を軽減する。さらに、この遮音マットの下で、かつ、構造躯体の上には、軽量気泡コンクリート材が敷設されており、この軽量気泡コンクリート材のコンクリート内部の気泡において、重量床衝撃音および軽量床衝撃音の双方が吸音される。したがって、本考案の遮音構造全体として、高い遮音性能を発揮することができる。
【００１３】
本考案の遮音構造は、構造躯体に取り付けられた野縁下地材と、野縁下地材に取り付けられた防振吊木と、防振吊木に取り付けられた野縁部材と、野縁部材の下に取り付けられた天井石膏ボードとを備え、野縁部材の上に吸音材が敷設されている。すなわち、本考案の遮音構造では、床衝撃音を下層階においても遮音することができる。上層階と下層階とは、上層階と下層階の間に位置する界床によって区切られているが、この界床自体を通じて床衝撃音からの振動が下層階に伝わりやすいため、完全に床衝撃音を遮断することは容易ではない。そこで、本考案の遮音構造では、通常の吊木に代えて防振吊木を使用することで、この防振吊木に床衝撃音からの振動を吸収させ、上層階と下層階とを音環境としてできる限り独立した状態にし、下層階の天井に伝わる床衝撃音を抑制している。また、本考案の遮音構造では、防振吊木に取り付けられた野縁部材の下に天井石膏ボードが取り付けられ、さらに、この野縁部材の上には吸音材が敷設されていることから、上層階からの床衝撃音をこの吸音材で吸音するとともに、吸音しきれなかった床衝撃音を天井石膏ボードで遮断することができる。したがって、本考案の遮音構造全体として、高い遮音性能を発揮することができる。
【００１４】
本考案の遮音構造は、天井石膏ボードが２枚重ねになっている。すなわち、音を通しにくい性質を持つ石膏ボードを２枚重ねにすることで、下層階に伝わる床衝撃音に対する遮断性をより一層高めることができる。
【００１５】
本考案の遮音構造は、野縁下地材と防振吊木とが、野縁下地材に取り付けられた吊木受けを介して取り付けられている。すなわち、野縁下地材と防振吊木との間に吊木受けを設けることで、防振吊木の取り付けをより安定させることができる。また、防振吊木が、野縁下地材からさらに吊木受けを介して設けられ、床衝撃音からの振動が伝わりにくくなることで、遮音性能を一層高めることができる。
【００１６】
本考案の遮音構造は、構造躯体がＨ形鋼であり、Ｈ形鋼のウェブ部に沿って吸音材が敷き詰められている。したがって、本考案の遮音構造は、この吸音材が構造躯体から伝わる床衝撃音を吸音することで、遮音性能をより高めることができる。
【図面の簡単な説明】
【００１７】
【図１】本考案の第一実施形態に係る遮音構造の断面図である。
【図２】本考案の第一実施形態に係る遮音構造における防振吊木の取付方法を示す拡大図である。
【図３】本考案の第二実施形態に係る遮音構造の断面図である。
【考案を実施するための形態】
【００１８】
本考案の第一の実施形態として、遮音構造１を、図１および図２を参照して、説明する。
【００１９】
遮音構造１は、図１に示すように、建築物の界床において用いられるものである。なお、建築物には、例えば、木造、軽量鉄骨造、鉄筋コンクリート造等の建築物が含まれるが、遮音構造１については、軽量鉄骨造の建築物における遮音構造として、以下にて説明する。
【００２０】
遮音構造１は、まず始めに、構造躯体２における大梁や小梁として組まれたＨ形鋼３の上に、軽量気泡コンクリート材（以下「ＡＬＣ材４」とする。）が、取り付けられる。具体的には、Ｈ形鋼３を、フランジ部が上下方向になるようにして、角鋼等で構成される柱１７等の上に横設し、これらの横設されたＨ形鋼３の上フランジ部３Ａの上に、ＡＬＣ材４が横架して敷設される。この敷設されたＡＬＣ材４が、上層階２００と下層階１００との間に位置する境、すなわち界床となる。
【００２１】
なお、遮音構造１では、Ｈ形鋼３において、上下フランジ部までの高さをＨ寸法（Ｈ）、フランジ部の幅をＢ寸法（Ｂ）、フランジ部の厚みをｔ１寸法（ｔ１）およびウェブ部の厚みをｔ２寸法（ｔ２）としたときに、「（Ｈ）×（Ｂ）×（ｔ１）×（ｔ２）」が、「２５０ｍｍ×１００ｍｍ×４．５ｍｍ×４．５ｍｍ」であるＨ形鋼と「２００ｍｍ×１００ｍｍ×４．５ｍｍ×４．５ｍｍ」であるＨ形鋼とを使用して、構造躯体２が形成されている。しかし、本実施形態に係る遮音構造は、これに限定されるものではなく、フランジ部の厚み（ｔ１）が３．２ｍｍのものや、ウェブ部の厚み（ｔ２）が６ｍｍであるもの等を用いてもよく、これらのＨ形鋼３の組み合わせについては建築予定の建築物に合わせて選択される。また、Ｈ形鋼３で組まれる構造躯体２の梁の長さ等についても、同様である。
【００２２】
ＡＬＣ材４は、主に、珪石、セメント、生石灰および発泡剤のアルミ粉末等を原料として高温高圧蒸気養生された軽量気泡コンクリートで構成され、床用の部材として種々の補強がなされた床パネルである。ＡＬＣ材４は、その内部に無数の気泡が形成されており、吸音性に優れた床材である。なお、ＡＬＣ材４の厚み（Ｄ）は、１００ｍｍから１５０ｍｍの間で形成されていることが好ましく、遮音性および居住空間の確保等を考慮すると、１２５ｍｍの厚みが最も好ましい。さらに、ＡＬＣ材４は、Ｈ形鋼３の上に載置された後に、ＡＬＣ材４の裏側および上フランジ部３Ａの裏側において、ＡＬＣ材４の裏側の一部と上フランジ部３Ａの裏側の一部とにわたって、クリップ金物（図示せず）が固定されることで、取り付けられている。なお、クリップ金物は、平板状の金属片が上フランジ部３Ａの厚みぶんにクランク状に折り曲げられて形成されており、固定される際には、ＡＬＣ材４の裏面と、上フランジ部３Ａの厚み側面と、上フランジ部３Ａの裏面とのそれぞれに隙間なく沿うようにして配置されて、固定される。また、ＡＬＣ材４およびＨ形鋼３とクリップ金物とは、ボルトとナット等の固着具（図示せず）によって固定される。
【００２３】
次に、遮音構造１における上層階２００の床下部分の構造について、以下にて説明する。
【００２４】
遮音構造１では、図１に示すように、上層階２００の床下部分において、ＡＬＣ材４の上の一面に、遮音マット５が敷設される。遮音マット５は、主に高比重の酸化鉄と粘弾性物質のアスファルトとが混錬されてマット状に形成され、その表裏の両面にポリエステル不織布が一体化されたものである。なお、遮音に関しては、質量が大きいほど音をはね返す力が強くなることから、比重が高い遮音マットが好ましく、建築予定の建築物に合わせて、コストや重量等を考慮して種々の遮音マットが選択される。敷設方法については、遮音マット５をＡＬＣ材４の上に敷き詰めるだけで自重により安定するが、仮に安定しない場合には、釘、ネジ、ビスまたはステープル等の固着具（図示せず）または接着剤等で固定してもよい。
【００２５】
さらに、遮音構造１では、遮音マット５の上の一面に、合板６が敷設されている。合板６は、針葉樹の単板を乾燥させ、この単板を複数枚重ね合わせて接着剤で張り合わせることで形成される板のことであり、遮音構造１では、遮音マット５をその上から押さえつけて安定的に固定するとともに、この合板６の上に弾性接着剤８を塗布するための下地材となる。なお、合板６は、遮音マット５に、釘、ネジ、ビスまたはステープル等の固着具によって固定される。
【００２６】
次に、遮音構造１では、合板６の上の一面に、床石膏ボード７が敷設される。床石膏ボード７は、石膏を主原料とした素材を板状に成形し、その両面を石膏ボード用原紙で被覆した内装部材である。また、石膏ボードは様々の種類が存在するが、床石膏ボード７では、遮音性能の観点から、超硬質で、高強度の普通硬質石膏ボードを用いることが好ましい。さらに、床石膏ボード７は、その四隅において、合板６に、釘、ネジ、ビスまたはステープル等の固着具によって固定される。なお、一般に、床下の遮音構造には、２枚の石膏ボードを重ねて敷設するものも存在するが、遮音性能、コストおよび居住空間の確保等を考慮すると、本実施形態に係る遮音構造１では、１枚の床石膏ボード７で構成されることが好ましい。
【００２７】
さらに、遮音構造１では、床石膏ボード７を合板６の上に敷設するにあたり、予め合板６の上の一面に弾性接着剤８が塗布され、この弾性接着剤８の上に床石膏ボード７が敷設される。この弾性接着剤８は、硬化後も弾力性が残る特殊接着剤であり、この弾力性によって制振性を有するといった特徴がある。なお、合板６の上に弾性接着剤８を塗布する際には、合板６の上における一面の塗布量を一定にし、この弾性接着剤８が合板６と床石膏ボード７との間に均等に馴染むようにするため、櫛目のあるヘラで櫛形に櫛目引きをすることが好ましい。
【００２８】
また、遮音構造１では、床石膏ボード７の上の一面において、床仕上げ材９が敷設されている。具体的には、床石膏ボード７の上の一面において、所定のサイズに形成された木板または木質材料による床板が、フローリングとして敷き詰められている。なお、フローリングの床材の種類については、一枚の厚い天然無垢材からなる板材を敷き詰める単層フローリングまたは薄い板を重ねて合わせてその表面に天然木板を接着した板材を敷き詰める複合フローリングのいずれであってもよい。また、床仕上げ材９は、ウレタン樹脂系の接着剤等によって固定される。さらに、遮音構造１では、床仕上げ材９としてフローリングの施工がされた実施形態を示したが、これに限定されるものではなく、床仕上げ材９がカーペット等の他の床仕上げ材で構成されていてもよい。
【００２９】
続いて、遮音構造１における下層階１００の天井裏部分について、以下にて説明する。なお、遮音構造１は、上層階２００の床下部分の構造と、下層階１００の天井裏部分の構造とからなるものとして説明するが、上記した上層階２００の床下部分の構造を他の構造と組み合わせて用いる場合等には、上記した上層階２００の床下部分の構造のみで施工されてもよく、以下に説明する下層階１００の天井裏部分の構造についても同様である。
【００３０】
遮音構造１では、図１および図２に示すように、下層階１００の天井裏部分において、Ｈ形鋼３の上フランジ部３Ａと下フランジ部３Ｂとの間に、複数の野縁下地材１０が取り付けられている。野縁下地材１０は、その長さ（Ｌ）が、上フランジ部３Ａと下フランジ部３Ｂとの間において、Ｈ形鋼３のウェブ部３Ｃに沿って嵌る長さに形成された角材である。また、野縁下地材１０は、その厚み（Ｄ）が、野縁下地材１０が上フランジ部３Ａと下フランジ部３Ｂとの間に嵌め込まれた際に、野縁下地材１０の下部に後述する防振吊木１２が取り付けられる程度に、下フランジ部３Ｂから張り出すようにして形成されている。なお、野縁下地材１０において、その下部に防振吊木１２が取り付けられる程度に下フランジ部３Ｂから張り出す厚み（Ｄ）の確保が困難な場合等には、野縁下地材１０とウェブ部３Ｃとの間に、さらに下地材として、木材等からなる複数の平板（図示せず）等を挟み込み、野縁下地材１０の張り出し具合を調整してもよい。また、野縁下地材１０が下フランジ部３Ｂから張り出す長さは、図１または図２において図示されたものに限定されず、任意である。
【００３１】
また、遮音構造１では、図１に示すように、Ｈ形鋼３の上フランジ部３Ａと下フランジ部３Ｂとの間であって、野縁下地材１０が取り付けられていない部分において、吸音材１４がウェブ部３Ｃに沿って敷き詰められている。具体的には、吸音材１４は、玄武岩等の天然岩石等を主原料とした人造鉱物繊維であるロックウールが袋詰めにされたものまたはガラスを主原料としたガラス繊維からなる綿状素材のグラスウールが袋詰めにされたものが、複数連なってマット状に形成されたものである。ロックウールおよびガラスウールは、それぞれ繊維自体に空気を多く含んでいるため、吸音性および断熱性に優れている。なお、遮音構造１では、構造躯体２としてＨ形鋼３が用いられ、そのＨ形鋼３のウェブ部３Ｃに沿って、吸音材１４が敷き詰められているが、建築物が木造である場合には梁や吊り木等の木材に沿って、建築物が鉄筋コンクリート造である場合には、コンクリートで形成された梁等に沿って、吸音材１４が敷き詰められていてもよい。また、吸音材１４を敷き詰める空間が確保できない場合等には、吸音材１４が敷き詰められていない実施形態であってもよい。
【００３２】
さらに、遮音構造１では、図１および図２に示すように、野縁下地材１０の下部に、防振吊木１２が取り付けられている。この防振吊木１２は、野縁下地材１０に取り付けられる金属製の第一取付プレート１２Ａと、後述する野縁部材１３に取り付けられる金属製の第二取付プレート１２Ｂと、第一取付プレート１２Ａと第二取付プレート１２Ｂとの間に介在されて両者を一体に連結するゴム製の防振部材１２Ｃとを備えた連結金具である。具体的な取付方法としては、第一取付プレート１２Ａを上方に、第二取付プレート１２Ｂを下方に向けた状態において、野縁下地材１０における下部の側面すなわち野縁下地材１０におけるＨ形鋼３のウェブ部３Ｃに接する側面に対向する側面の下部に、第一取付プレート１２Ａを配置し、防振吊木１２の第一取付プレート１２Ａ以外の部位が野縁下地材１０の下部から垂下するようにして、第一取付プレート１２Ａを野縁下地材１０に固定する。そして、この野縁下地材１０に垂設された防振吊木１２の第二取付プレート１２Ｂに、野縁部材１３が取り付けられる。この防振吊木１２は、防振部材１２Ｃにおける弾力性によって、床衝撃音からの振動を吸収し、下層階１００に伝わる床衝撃音を軽減することができる。また、下層階１００の天井が防振部材１２Ｃを設けて形成されることで、音環境として上層階２００と下層階１００とを独立した空間に近づけることができる。さらに、防振吊木１２の第一取付プレート１２Ａには、上記した野縁下地材１０に固定された部位における水平方向の両端のいずれかにおいて、この部位に対して垂直に、金属製のプレートである予備第一取付プレート１２Ｄが連接されている。したがって、この防振吊木１２は、上記した固定方法において、防振吊木１２本体の向きを変えることなく、第一取付プレート１２Ａに対向する野縁下地材１０だけでなく、水平方向に９０度向きを変えてこの予備第一取付プレート１２Ｄに対向する位置においてＨ形鋼３に嵌め込まれた別の野縁下地材１０にも、固定することができる。なお、第一取付プレート１２Ａ、第二取付プレート１２Ｂおよび予備第一取付プレート１２Ｄのそれぞれには、複数の固着具孔１２Ｅが形成されており、この固着具孔１２Ｅに、釘、ネジまたはビス等の防振吊木用固着具１２Ｆが通されることによって、防振吊木１２が野縁下地材１０および野縁部材１３に固定される。
【００３３】
また、遮音構造１では、図１および図２に示すように、野縁下地材１０の下部から垂設された防振吊木１２の下部において、野縁部材１３が取り付けられている。この野縁部材１３は、複数の角材が格子状に軸組みされた部材であって、天井一面を覆うようにして配置され、複数の防振吊木１２によって固定される。
【００３４】
さらに、遮音構造１では、図１に示すように、野縁部材１３の上に、吸音効果および断熱効果のある吸音材１４が敷き詰められている。具体的には、吸音材１４は、上記したＨ形鋼３の上フランジ部３Ａと下フランジ部３Ｂとの間に敷き詰められたものと同様のものであり、この吸音材１４が、格子状の野縁部材１３を構成する角材の上において、隙間なく敷き詰められて、載置される。なお、遮音構造１では、ロックウールとグラスウールとで双方の遮音性能を比較すると、吸音材１４としてロックウールが用いられることが好ましい。
【００３５】
また、遮音構造１では、野縁部材１３の下に、天井石膏ボード１５が２枚重ねて取り付けられている。具体的には、この天井石膏ボード１５は、天井用の強化石膏ボードであって、石膏の芯にガラス繊維などの無機繊維が加えられたものである。これらの天井石膏ボード１５は、野縁部材１３の下において、天井一面を覆うようにして配置され、釘、ネジまたはビス等の固着具によって野縁部材１３に固定される。なお、図１には図示していないが、２枚の天井石膏ボード１５を重ねて取り付ける際には、１層目の複数の天井石膏ボード１５によって形成される天井石膏ボード１５同士の繋ぎ目を、２層目の天井石膏ボード１５で塞ぐようにして配置し、それぞれの層における天井石膏ボード１５同士の継ぎ目が極力重ならないようにして施工されることが望ましい。なお、遮音構造１として、天井石膏ボード１５が２枚重ねである実施形態を示したが、天井石膏ボード１５の取り付けに十分な空間がとれない場合またはなるべく広い居住空間を確保する必要がある場合等には、天井石膏ボード１５が１枚だけで施工されていてもよい。
【００３６】
さらに、遮音構造１では、２枚重ねて取り付けられた天井石膏ボード１５の下において、天井仕上げ材１６が貼着されている。具体的には、天井仕上げ材１６は、塩化ビニール樹脂等を主素材としたビニールシートに、紙などの裏打ちがされたビニールクロスであり、２枚重ねて取り付けられた天井石膏ボード１５の下に、接着剤によって貼着される。なお、遮音構造１では、天井仕上げ材１６にビニールクロスが貼着された実施形態を示したが、これに限定されるものではなく、天井仕上げ材１６が紙クロス等の他の天井仕上げ材で構成されているものであってもよく、また、天井仕上げ材１６を取り付けず、ペンキ等が塗布されて天井が仕上げられているものであってもよい。
【００３７】
また、遮音構造１では、図１に示すように、柱１７の周囲における側面のうち少なくとも室内側になる側面に沿って、耐火材として壁石膏ボード１９が設けられている。具体的には、壁石膏ボード１９は、耐火材用下地１８を介して、構造躯体２であるＨ形鋼３に固定されて設けられる。この壁石膏ボード１９は、床石膏ボード７と同様の超硬質で高強度の普通硬質石膏ボードにより構成され、耐火性能に優れている。また、耐火材用下地１８は、略Ｃ字状のリップ溝形鋼または角柱状の軽角形鋼等の軽量形鋼材（以下「ＬＧＳ材」とする。）により構成される。具体的な取付方法としては、Ｈ形鋼３の長手方向に沿って、かつ、下フランジ部３Ｂの下端において、略コ字状に下方が開口した金属製のレール部材であるランナー（図示せず）が、溶接によって固定される。この固定されたランナーの開口部（図示せず）において、直立させたＬＧＳ材の上端部が嵌め込まれ、釘、ネジまたはビス等の固着具によって、ランナーとＬＧＳ材とが固定される。これにより、Ｈ形鋼３と耐火材用下地１８とが固定される。さらに、この固定された耐火材用下地１８に沿わせて壁石膏ボード１９を直立させ、釘、ネジ、ビスまたはステープル等の固着具によって、耐火材用下地１８と壁石膏ボード１９とが固定される。これにより、壁石膏ボード１９が、柱１７における室内側の側面に沿って設けられる。なお、壁石膏ボード１９は、１枚のみで施工されてもよく、複数枚重ねて施工されていてもよい。
【００３８】
また、図１には図示していないが、耐火材用下地１８は、木製の板材等で構成されていてもよい。この場合には、壁石膏ボード１９は、耐火材用下地１８を介して、柱１７に固定されて設けられる。耐火材用下地１８には、柱１７の幅寸法から張り出す幅に形成された２枚の木製の板材等が用いられる。具体的な取付方法としては、この２枚の板材等を直立させ、柱１７の周囲における側面のうち対向する２側面を挟むようにして配置し、釘、ネジ、ビス等の固着具によって、柱１７と２枚の板材等とが固定される。また、この固定された２枚の板材等における室内側の縁において、直立させた壁石膏ボード１９が配置され、釘、ネジ、ビスまたはステープル等の固着具によって、２枚の板材等と壁石膏ボード１９とが固定される。これにより、柱１７と耐火材用下地１８とが固定され、また、耐火材用下地１８と壁石膏ボード１９とが固定される。なお、耐火材用下地１８に木製の板材等を用いる場合には、柱１７と壁石膏ボード１９との間に、耐火材用下地１８が柱１７から張り出すぶんにおいて隙間が設けられる。また、耐火材用下地１８に木製の板材等を用いる場合には、壁石膏ボード１９に、天井石膏ボード１５と同様の石膏の芯にガラス繊維などの無機繊維が加えられた強化石膏ボードを用いることが好ましい。
【００３９】
さらに、上記した柱１７、耐火材用下地１８および壁石膏ボード１９等からなる構造では、耐火材用下地１８であるＬＧＳ材または木製の板材等と、普通硬質石膏ボードまたは強化石膏ボード等の種々の石膏ボードから選択される１枚または複数枚の壁石膏ボード１９とを、所定の条件を満たすように組み合わせて施工することで、耐火構造（建築基準法施行令第１０７条に定める技術的基準に適合する耐火性能を持つ構造）または準耐火構造（建築基準法施行令第１０７条の２に定める技術的基準に適合する耐火性能を持つ構造）に準拠した構造とすることができる。なお、遮音構造１において、耐火構造または準耐火構造に準拠した構造を採用するか否かは任意であり、柱１７、耐火材用下地１８および壁石膏ボード１９等のそれぞれの構成についても、上記したものに限定されるものではない。
【００４０】
ここまで、遮音構造１における下層階１００の天井裏部分の構造を説明したが、下層階１００の天井裏部分の構造を他の構造と組み合わせて用いる場合等には、上記した下層階１００の天井裏部分の構造のみで施工されてもよく、この点は上層階２００の床下部分の構造と同様である。
【００４１】
以上、図１および図２に基づいて遮音構造１について説明したが、以下においては、第二の実施形態として、図３に基づき、野縁下地材１０の下部において吊木受け１１が設けられた吊木受け遮音構造２０について、説明する。
【００４２】
吊木受け１１とは、図３に示すように、野縁下地材１０の下部において接合され、互いに対向するＨ形鋼３にわたって横架して設けられる角材である。吊木受け遮音構造２０では、この吊木受け１１に防振吊木１２が複数固定され、この防振吊木１２の下部に野縁部材１３が固定される。すなわち、吊木受け遮音構造２０では、これらの複数の部材を介して下層階１００の天井が設けられる。したがって、下層階１００の天井が、梁を構成するＨ形鋼３または界床のＡＬＣ材４から直接吊るされておらず、また、下層階１００の天井が、上記した複数の部材を介して、梁を構成するＨ形鋼３や界床のＡＬＣ材４から一定の距離を空けて設けられることで、上層階２００からの床衝撃音がより下層階１００に伝わりにくい遮音構造とすることができる。なお、防振吊木１２の固定方法は、防振吊木１２を野縁下地材１０に代えて吊木受け１１に取り付ける点以外は、遮音構造１と同様である。
【００４３】
以上、吊木受け１１について説明したが、吊木受け遮音構造２０は、その防振吊木１２が吊木受け１１を介して取り付けられている点以外の構成は、遮音構造１と同様である。そのため、吊木受け遮音構造２０におけるその他の構成についての説明は、省略する。なお、本考案に係る実施形態として、下層階１００の天井裏の空間が十分に確保できる場合等には上記した吊木受け遮音構造２０が、下層階１００の天井裏の空間が十分に確保できない場合等には、吊木受け１１を設けずに、野縁下地材１０に直接防振吊木１２を取り付ける遮音構造１が、それぞれ選択的に施工される。
【００４４】
次に、本実施形態の遮音構造１および吊木受け遮音構造２０の効果について説明する。
【００４５】
遮音構造１および吊木受け遮音構造２０は、構造躯体２において梁を構成するＨ形鋼３の上に取り付けられたＡＬＣ材４と、ＡＬＣ材４の上に敷設された遮音マット５と、遮音マット５の上に敷設された合板６と、合板６の上に敷設された床石膏ボード７とを備え、合板６と床石膏ボード７とが弾性接着剤８によって接着されている。すなわち、遮音構造１は、上層階２００において子供が飛び跳ねたり物が落下したりした際に、まず始めに、音を通しにくい性質である床石膏ボード７が、一定の床衝撃音を遮断する。次に、この床石膏ボード７の下には、合板６との間に弾性接着剤８が塗布されており、この弾性接着剤８が、硬化した後においても弾力性が残存することで、床衝撃音からの振動を吸収し、特に、軽量床衝撃音を軽減する。続けて、この弾性接着剤８で接着された合板６の下には、遮音マット５が敷設されており、この遮音マット５が、重量床衝撃音および軽量床衝撃音からの振動を吸収して、床衝撃音を軽減する。さらに、この遮音マット５の下で、かつ、構造躯体２を構成するＨ形鋼３の上には、ＡＬＣ材４が敷設されており、このＡＬＣ材４のコンクリート内部の気泡において、重量床衝撃音および軽量床衝撃音の双方が吸音される。したがって、遮音構造１および吊木受け遮音構造２０全体として、高い遮音性能を発揮することができる。
【００４６】
また、遮音構造１は、構造躯体２において梁を構成するＨ形鋼３に取り付けられた野縁下地材１０と、野縁下地材１０の下部に取り付けられた防振吊木１２と、防振吊木１２の下部に取り付けられた野縁部材１３と、野縁部材１３の下に取り付けられた天井石膏ボード１５とを備え、野縁部材１３の上に吸音材１４が敷設されている。すなわち、遮音構造１では、床衝撃音を下層階１００においても遮音することができる。上層階２００と下層階１００とは、上層階２００と下層階１００の間に位置する界床すなわちＡＬＣ材４によって区切られているため、このＡＬＣ材４を通じて床衝撃音からの振動が下層階１００に伝わりやすい。したがって、完全に床衝撃音を遮断することは容易ではない。そこで、遮音構造１では、通常の吊木に代えて防振吊木１２を使用し、この防振吊木１２に床衝撃音からの振動を吸収させ、上層階２００と下層階１００とを音環境としてできる限り独立した状態にすることで、下層階１００の天井に伝わる床衝撃音を抑制することができる。また、遮音構造１では、防振吊木１２に取り付けられた野縁部材１３の下に天井石膏ボード１５が取り付けられ、さらに、この野縁部材１３の上には吸音材１４が敷設されていることから、上層階２００からの床衝撃音をこの吸音材１４で吸音するとともに、吸収しきれなかった床衝撃音を天井石膏ボード１５で遮断することができる。したがって、遮音構造１全体として、高い遮音性能を発揮することができる。
【００４７】
さらに、吊木受け遮音構造２０では、上記した遮音構造１における構成に加えて、野縁下地材１０と防振吊木１２とが、野縁下地材１０の下部に取り付けられた吊木受け１１を介して取り付けられている。すなわち、野縁下地材１０と防振吊木１２との間に吊木受け１１を設けることで、防振吊木１２の取り付けをより安定させることができる。また、防振吊木１２が、野縁下地材１０からさらに吊木受け１１を介して設けられることで、床衝撃音からの振動がより伝わりにくくなり、遮音性能を一層高めることができる。
【００４８】
さらに、遮音構造１および吊木受け遮音構造２０は、天井石膏ボード１５が２枚重ねになっている。すなわち、音を通しにくい性質を持つ石膏ボードを２枚重ねにすることで、下層階１００に伝わる床衝撃音に対する遮断性をより一層高めることができる。
【００４９】
遮音構造１および吊木受け遮音構造２０は、構造躯体２を構成するＨ形鋼３のウェブ部３Ｃに沿って吸音材１４が敷き詰められている。したがって、遮音構造１および吊木受け遮音構造２０は、この吸音材１４が構造躯体２を構成するＨ形鋼３から伝わる床衝撃音を吸音することで、遮音性能をより高めることができる。
【００５０】
以上、本考案の実施形態を詳述したが、本考案は上記実施形態に限定されるものではない。そして、本考案は、実用新案登録請求の範囲に記載された事項を逸脱することがなければ、種々の設計変更を行うことが可能である。
【００５１】
また、野縁下地材１０、吊木受け１１および野縁部材１３等における角材の長さ、幅および厚さ等の規格、Ｈ形鋼３の上下フランジ部３Ａ、３Ｂ間の長さ、各フランジ部３Ａ、３Ｂおよびウェブ部３Ｃ等の幅や厚さ、並びにＨ形鋼３自体の長さ等についても、建築予定の建築物に合わせて適宜選択されるものである。
【符号の説明】
【００５２】
１      遮音構造
２      構造躯体
３      Ｈ形鋼
３Ａ    上フランジ部
３Ｂ    下フランジ部
３Ｃ    ウェブ部
４      ＡＬＣ材（軽量気泡コンクリート材）
５      遮音マット
６      合板
７      床石膏ボード
８      弾性接着剤
９      床仕上げ材
１０    野縁下地材
１１    吊木受け
１２    防振吊木
１２Ａ  第一取付プレート
１２Ｂ  第二取付プレート
１２Ｃ  防振部材
１２Ｄ  予備第一取付プレート
１２Ｅ  固着具孔
１２Ｆ  防振吊木用固着具
１３    野縁部材
１４    吸音材
１５    天井石膏ボード
１６    天井仕上げ材
１７    柱
１８    耐火材用下地
１９    壁石膏ボード
２０    吊木受け遮音構造
１００  下層階
２００  上層階
【図１】
0003227408.tif 000003
【図２】
0003227408.tif 000004
【図３】
0003227408.tif 000005
【手続補正書】
【提出日】令和2年5月29日(2020.5.29)
【手続補正１】
【補正対象書類名】明細書
【補正対象項目名】全文
【補正方法】変更
【補正の内容】
【考案の詳細な説明】
【技術分野】
【０００１】
本考案は、建築物の遮音構造に関するものである。
【背景技術】
【０００２】
従来から、集合住宅等の居住性においては、音環境の良し悪しが大きな要素として着目されている。特に、集合住宅等の下層階では、上層階における人の歩行や物の落下等による床衝撃音が、上層階と下層階との間に位置する界床を通じて伝わりやすく、居住者同士の騒音トラブルに発展することもある。そこで、この床衝撃音を抑制して音環境の改善をするため、遮音に関する様々な材料およびそれらの材料を用いた種々の組み合わせからなる構造等が提案されている（例えば、特許文献１）。
【０００３】
ところで、上層階から下層階に伝わる床衝撃音には、重量床衝撃音（ＬＨ）と軽量床衝撃音（ＬＬ）とが存在する。重量床衝撃音とは、子供が飛び跳ねた時、重い物が床に落下した時または椅子等の家具が引きずられた時等の「ドスン」「ガタン」等の鈍くて低い音のことをいい、軽量床衝撃音とは、コインや食器等の比較的軽い物が床に落下した時または人がスリッパを履いて歩いた時等の「チャリーン」「コツン」「パタパタ」等の軽めの高い音をいう。そして、床衝撃音に対する遮音性については、これらの床衝撃音がどの程度上層階から下層階に伝わるのか、床衝撃音遮断性能試験（ＪＩＳ  Ａ  １４１８−２  建築物の床衝撃音遮断性能の測定方法に基づく試験）で測定され、音を遮る能力レベルの指標となる遮音等級(Ｌ値)によって表される。
【０００４】
ここで、特許文献１に記載された発明に係る遮音床構造は、上記の試験の結果として、２級程度（Ｌ−５５）の遮音性能を有していることが示されている。この等級は、「床衝撃音が少し気になるが注意すれば問題ない」程度の遮音性とされており、居住空間における快適な音環境という面では、未だ改善の余地がある。また、集合住宅等の床衝撃音に対する遮音では、重量床衝撃音および軽量床衝撃音の双方をバランスよく軽減する必要があるところ、特許文献１に記載された発明に係る遮音床構造は、厚みの異なる緩衝材を並列に配置し、その上から床板が敷設されることを特徴とするものであって、主に重量床衝撃音に対する遮音を重点としており、床衝撃音に対する遮音としては十分な床構造とはいえない。
【先行技術文献】
【特許文献】
【０００５】
【特許文献１】特開２０１９−１１２８５８号公報
【考案の概要】
【考案が解決しようとする課題】
【０００６】
そこで、本考案は、重量床衝撃音および軽量床衝撃音の双方をバランスよく軽減することができる建築物の遮音構造の提供を目的とする。また、遮音性能を有する各種部材において、それぞれの特徴および性能をうまく組み合わせることで、従来の建築物の遮音構造と比較しても遮音性能に優れた建築物の遮音構造を提供することにある。
【課題を解決するための手段】
【０００７】
本考案に係る建築物の遮音構造は、構造躯体の上に取り付けられた軽量気泡コンクリート材と、前記軽量気泡コンクリート材の上に敷設された遮音マットと、前記遮音マットの上に敷設された合板と、前記合板の上に敷設された床石膏ボードとを備え、前記合板と前記床石膏ボードとが弾性接着剤によって接着された、ことを特徴とする。
【０００８】
本考案に係る建築物の遮音構造は、前記構造躯体に取り付けられた野縁下地材と、前記野縁下地材に取り付けられた防振吊木と、前記防振吊木に取り付けられた野縁部材と、前記野縁部材の下に取り付けられた天井石膏ボードとを備え、前記野縁部材の上に吸音材が敷設された、ことを特徴とする。
【０００９】
本考案に係る建築物の遮音構造は、前記天井石膏ボードが２枚重ねである、ことを特徴とする。
【００１０】
本考案に係る建築物の遮音構造は、前記野縁下地材と前記防振吊木とが、前記野縁下地材に取り付けられた吊木受けを介して取り付けられている、ことを特徴とする。
【００１１】
本考案に係る建築物の遮音構造は、前記構造躯体がＨ形鋼であり、前記Ｈ形鋼のウェブ部に沿って吸音材が敷き詰められた、ことを特徴とする。
【考案の効果】
【００１２】
本考案に係る建築物の遮音構造は、構造躯体の上に取り付けられた軽量気泡コンクリート材と、軽量気泡コンクリート材の上に敷設された遮音マットと、遮音マットの上に敷設された合板と、合板の上に敷設された床石膏ボードとを備え、合板と床石膏ボードとが弾性接着剤によって接着されている。すなわち、本考案に係る建築物の遮音構造は、上層階において子供が飛び跳ねたり物が落下したりした際に、まず始めに、音を通しにくい性質である床石膏ボードが、一定の床衝撃音を遮断する。次に、この床石膏ボードの下には、合板との間に弾性接着剤が塗布されており、この弾性接着剤が、硬化した後においても弾力性が残存することで、床衝撃音からの振動を吸収し、特に、軽量床衝撃音を軽減する。続けて、この弾性接着剤で接着された合板の下には、遮音マットが敷設されており、この遮音マットが、重量床衝撃音および軽量床衝撃音からの振動を吸収して、床衝撃音を軽減する。さらに、この遮音マットの下で、かつ、構造躯体の上には、軽量気泡コンクリート材が敷設されており、この軽量気泡コンクリート材のコンクリート内部の気泡において、重量床衝撃音および軽量床衝撃音の双方が吸音される。したがって、本考案に係る建築物の遮音構造全体として、高い遮音性能を発揮することができる。
【００１３】
本考案に係る建築物の遮音構造は、構造躯体に取り付けられた野縁下地材と、野縁下地材に取り付けられた防振吊木と、防振吊木に取り付けられた野縁部材と、野縁部材の下に取り付けられた天井石膏ボードとを備え、野縁部材の上に吸音材が敷設されている。すなわち、本考案に係る建築物の遮音構造では、床衝撃音を下層階においても遮音することができる。上層階と下層階とは、上層階と下層階の間に位置する界床によって区切られているが、この界床自体を通じて床衝撃音からの振動が下層階に伝わりやすいため、完全に床衝撃音を遮断することは容易ではない。そこで、本考案に係る建築物の遮音構造では、通常の吊木に代えて防振吊木を使用することで、この防振吊木に床衝撃音からの振動を吸収させ、上層階と下層階とを音環境としてできる限り独立した状態にし、下層階の天井に伝わる床衝撃音を抑制している。また、本考案に係る建築物の遮音構造では、防振吊木に取り付けられた野縁部材の下に天井石膏ボードが取り付けられ、さらに、この野縁部材の上には吸音材が敷設されていることから、上層階からの床衝撃音をこの吸音材で吸音するとともに、吸音しきれなかった床衝撃音を天井石膏ボードで遮断することができる。したがって、本考案に係る建築物の遮音構造全体として、高い遮音性能を発揮することができる。
【００１４】
本考案に係る建築物の遮音構造は、天井石膏ボードが２枚重ねになっている。すなわち、音を通しにくい性質を持つ石膏ボードを２枚重ねにすることで、下層階に伝わる床衝撃音に対する遮断性をより一層高めることができる。
【００１５】
本考案に係る建築物の遮音構造は、野縁下地材と防振吊木とが、野縁下地材に取り付けられた吊木受けを介して取り付けられている。すなわち、野縁下地材と防振吊木との間に吊木受けを設けることで、防振吊木の取り付けをより安定させることができる。また、防振吊木が、野縁下地材からさらに吊木受けを介して設けられ、床衝撃音からの振動が伝わりにくくなることで、遮音性能を一層高めることができる。
【００１６】
本考案に係る建築物の遮音構造は、構造躯体がＨ形鋼であり、Ｈ形鋼のウェブ部に沿って吸音材が敷き詰められている。したがって、本考案に係る建築物の遮音構造は、この吸音材が構造躯体から伝わる床衝撃音を吸音することで、遮音性能をより高めることができる。
【図面の簡単な説明】
【００１７】
【図１】本考案の第一実施形態に係る建築物の遮音構造の断面図である。
【図２】本考案の第一実施形態に係る建築物の遮音構造における防振吊木の取付方法を示す拡大図である。
【図３】本考案の第二実施形態に係る建築物の遮音構造の断面図である。
【考案を実施するための形態】
【００１８】
本考案の第一の実施形態として、遮音構造１を、図１および図２を参照して、説明する。
【００１９】
遮音構造１は、図１に示すように、建築物の界床において用いられるものである。なお、建築物には、例えば、木造、軽量鉄骨造、鉄筋コンクリート造等の建築物が含まれるが、遮音構造１については、軽量鉄骨造の建築物における遮音構造として、以下にて説明する。
【００２０】
遮音構造１は、まず始めに、構造躯体２における大梁や小梁として組まれたＨ形鋼３の上に、軽量気泡コンクリート材（以下「ＡＬＣ材４」とする。）が、取り付けられる。具体的には、Ｈ形鋼３を、フランジ部が上下方向になるようにして、角鋼等で構成される柱１７等の上に横設し、これらの横設されたＨ形鋼３の上フランジ部３Ａの上に、ＡＬＣ材４が横架して敷設される。この敷設されたＡＬＣ材４が、上層階２００と下層階１００との間に位置する境、すなわち界床となる。
【００２１】
なお、遮音構造１では、Ｈ形鋼３において、上下フランジ部までの高さをＨ寸法（Ｈ）、フランジ部の幅をＢ寸法（Ｂ）、フランジ部の厚みをｔ１寸法（ｔ１）およびウェブ部の厚みをｔ２寸法（ｔ２）としたときに、「（Ｈ）×（Ｂ）×（ｔ１）×（ｔ２）」が、「２５０ｍｍ×１００ｍｍ×４．５ｍｍ×４．５ｍｍ」であるＨ形鋼と「２００ｍｍ×１００ｍｍ×４．５ｍｍ×４．５ｍｍ」であるＨ形鋼とを使用して、構造躯体２が形成されている。しかし、本実施形態に係る遮音構造は、これに限定されるものではなく、フランジ部の厚み（ｔ１）が３．２ｍｍのものや、ウェブ部の厚み（ｔ２）が６ｍｍであるもの等を用いてもよく、これらのＨ形鋼３の組み合わせについては建築予定の建築物に合わせて選択される。また、Ｈ形鋼３で組まれる構造躯体２の梁の長さ等についても、同様である。
【００２２】
ＡＬＣ材４は、主に、珪石、セメント、生石灰および発泡剤のアルミ粉末等を原料として高温高圧蒸気養生された軽量気泡コンクリートで構成され、床用の部材として種々の補強がなされた床パネルである。ＡＬＣ材４は、その内部に無数の気泡が形成されており、吸音性に優れた床材である。なお、ＡＬＣ材４の厚み（Ｄ）は、１００ｍｍから１５０ｍｍの間で形成されていることが好ましく、遮音性および居住空間の確保等を考慮すると、１２５ｍｍの厚みが最も好ましい。さらに、ＡＬＣ材４は、Ｈ形鋼３の上に載置された後に、ＡＬＣ材４の裏側および上フランジ部３Ａの裏側において、ＡＬＣ材４の裏側の一部と上フランジ部３Ａの裏側の一部とにわたって、クリップ金物（図示せず）が固定されることで、取り付けられている。なお、クリップ金物は、平板状の金属片が上フランジ部３Ａの厚みぶんにクランク状に折り曲げられて形成されており、固定される際には、ＡＬＣ材４の裏面と、上フランジ部３Ａの厚み側面と、上フランジ部３Ａの裏面とのそれぞれに隙間なく沿うようにして配置されて、固定される。また、ＡＬＣ材４およびＨ形鋼３とクリップ金物とは、ボルトとナット等の固着具（図示せず）によって固定される。
【００２３】
次に、遮音構造１における上層階２００の床下部分の構造について、以下にて説明する。
【００２４】
遮音構造１では、図１に示すように、上層階２００の床下部分において、ＡＬＣ材４の上の一面に、遮音マット５が敷設される。遮音マット５は、主に高比重の酸化鉄と粘弾性物質のアスファルトとが混錬されてマット状に形成され、その表裏の両面にポリエステル不織布が一体化されたものである。なお、遮音に関しては、質量が大きいほど音をはね返す力が強くなることから、比重が高い遮音マットが好ましく、建築予定の建築物に合わせて、コストや重量等を考慮して種々の遮音マットが選択される。敷設方法については、遮音マット５をＡＬＣ材４の上に敷き詰めるだけで自重により安定するが、仮に安定しない場合には、釘、ネジ、ビスまたはステープル等の固着具（図示せず）または接着剤等で固定してもよい。
【００２５】
さらに、遮音構造１では、遮音マット５の上の一面に、合板６が敷設されている。合板６は、針葉樹の単板を乾燥させ、この単板を複数枚重ね合わせて接着剤で張り合わせることで形成される板のことであり、遮音構造１では、遮音マット５をその上から押さえつけて安定的に固定するとともに、この合板６の上に弾性接着剤８を塗布するための下地材となる。なお、合板６は、遮音マット５に、釘、ネジ、ビスまたはステープル等の固着具によって固定される。
【００２６】
次に、遮音構造１では、合板６の上の一面に、床石膏ボード７が敷設される。床石膏ボード７は、石膏を主原料とした素材を板状に成形し、その両面を石膏ボード用原紙で被覆した内装部材である。また、石膏ボードは様々の種類が存在するが、床石膏ボード７では、遮音性能の観点から、超硬質で、高強度の普通硬質石膏ボードを用いることが好ましい。さらに、床石膏ボード７は、その四隅において、合板６に、釘、ネジ、ビスまたはステープル等の固着具によって固定される。なお、一般に、床下の遮音構造には、２枚の石膏ボードを重ねて敷設するものも存在するが、遮音性能、コストおよび居住空間の確保等を考慮すると、本実施形態に係る遮音構造１では、１枚の床石膏ボード７で構成されることが好ましい。
【００２７】
さらに、遮音構造１では、床石膏ボード７を合板６の上に敷設するにあたり、予め合板６の上の一面に弾性接着剤８が塗布され、この弾性接着剤８の上に床石膏ボード７が敷設される。この弾性接着剤８は、硬化後も弾力性が残る特殊接着剤であり、この弾力性によって制振性を有するといった特徴がある。なお、合板６の上に弾性接着剤８を塗布する際には、合板６の上における一面の塗布量を一定にし、この弾性接着剤８が合板６と床石膏ボード７との間に均等に馴染むようにするため、櫛目のあるヘラで櫛形に櫛目引きをすることが好ましい。
【００２８】
また、遮音構造１では、床石膏ボード７の上の一面において、床仕上げ材９が敷設されている。具体的には、床石膏ボード７の上の一面において、所定のサイズに形成された木板または木質材料による床板が、フローリングとして敷き詰められている。なお、フローリングの床材の種類については、一枚の厚い天然無垢材からなる板材を敷き詰める単層フローリングまたは薄い板を重ねて合わせてその表面に天然木板を接着した板材を敷き詰める複合フローリングのいずれであってもよい。また、床仕上げ材９は、ウレタン樹脂系の接着剤等によって固定される。さらに、遮音構造１では、床仕上げ材９としてフローリングの施工がされた実施形態を示したが、これに限定されるものではなく、床仕上げ材９がカーペット等の他の床仕上げ材で構成されていてもよい。
【００２９】
続いて、遮音構造１における下層階１００の天井裏部分について、以下にて説明する。なお、遮音構造１は、上層階２００の床下部分の構造と、下層階１００の天井裏部分の構造とからなるものとして説明するが、上記した上層階２００の床下部分の構造を他の構造と組み合わせて用いる場合等には、上記した上層階２００の床下部分の構造のみで施工されてもよく、以下に説明する下層階１００の天井裏部分の構造についても同様である。
【００３０】
遮音構造１では、図１および図２に示すように、下層階１００の天井裏部分において、Ｈ形鋼３の上フランジ部３Ａと下フランジ部３Ｂとの間に、複数の野縁下地材１０が取り付けられている。野縁下地材１０は、その長さ（Ｌ）が、上フランジ部３Ａと下フランジ部３Ｂとの間において、Ｈ形鋼３のウェブ部３Ｃに沿って嵌る長さに形成された角材である。また、野縁下地材１０は、その厚み（Ｄ）が、野縁下地材１０が上フランジ部３Ａと下フランジ部３Ｂとの間に嵌め込まれた際に、野縁下地材１０の下部に後述する防振吊木１２が取り付けられる程度に、下フランジ部３Ｂから張り出すようにして形成されている。なお、野縁下地材１０において、その下部に防振吊木１２が取り付けられる程度に下フランジ部３Ｂから張り出す厚み（Ｄ）の確保が困難な場合等には、野縁下地材１０とウェブ部３Ｃとの間に、さらに下地材として、木材等からなる複数の平板（図示せず）等を挟み込み、野縁下地材１０の張り出し具合を調整してもよい。また、野縁下地材１０が下フランジ部３Ｂから張り出す長さは、図１または図２において図示されたものに限定されず、任意である。
【００３１】
また、遮音構造１では、図１に示すように、Ｈ形鋼３の上フランジ部３Ａと下フランジ部３Ｂとの間であって、野縁下地材１０が取り付けられていない部分において、吸音材１４がウェブ部３Ｃに沿って敷き詰められている。具体的には、吸音材１４は、玄武岩等の天然岩石等を主原料とした人造鉱物繊維であるロックウールが袋詰めにされたものまたはガラスを主原料としたガラス繊維からなる綿状素材のグラスウールが袋詰めにされたものが、複数連なってマット状に形成されたものである。ロックウールおよびガラスウールは、それぞれ繊維自体に空気を多く含んでいるため、吸音性および断熱性に優れている。なお、遮音構造１では、構造躯体２としてＨ形鋼３が用いられ、そのＨ形鋼３のウェブ部３Ｃに沿って、吸音材１４が敷き詰められているが、建築物が木造である場合には梁や吊り木等の木材に沿って、建築物が鉄筋コンクリート造である場合には、コンクリートで形成された梁等に沿って、吸音材１４が敷き詰められていてもよい。また、吸音材１４を敷き詰める空間が確保できない場合等には、吸音材１４が敷き詰められていない実施形態であってもよい。
【００３２】
さらに、遮音構造１では、図１および図２に示すように、野縁下地材１０の下部に、防振吊木１２が取り付けられている。この防振吊木１２は、野縁下地材１０に取り付けられる金属製の第一取付プレート１２Ａと、後述する野縁部材１３に取り付けられる金属製の第二取付プレート１２Ｂと、第一取付プレート１２Ａと第二取付プレート１２Ｂとの間に介在されて両者を一体に連結するゴム製の防振部材１２Ｃとを備えた連結金具である。具体的な取付方法としては、第一取付プレート１２Ａを上方に、第二取付プレート１２Ｂを下方に向けた状態において、野縁下地材１０における下部の側面すなわち野縁下地材１０におけるＨ形鋼３のウェブ部３Ｃに接する側面に対向する側面の下部に、第一取付プレート１２Ａを配置し、防振吊木１２の第一取付プレート１２Ａ以外の部位が野縁下地材１０の下部から垂下するようにして、第一取付プレート１２Ａを野縁下地材１０に固定する。そして、この野縁下地材１０に垂設された防振吊木１２の第二取付プレート１２Ｂに、野縁部材１３が取り付けられる。この防振吊木１２は、防振部材１２Ｃにおける弾力性によって、床衝撃音からの振動を吸収し、下層階１００に伝わる床衝撃音を軽減することができる。また、下層階１００の天井が防振部材１２Ｃを設けて形成されることで、音環境として上層階２００と下層階１００とを独立した空間に近づけることができる。さらに、防振吊木１２の第一取付プレート１２Ａには、上記した野縁下地材１０に固定された部位における水平方向の両端のいずれかにおいて、この部位に対して垂直に、金属製のプレートである予備第一取付プレート１２Ｄが連接されている。したがって、この防振吊木１２は、上記した固定方法において、防振吊木１２本体の向きを変えることなく、第一取付プレート１２Ａに対向する野縁下地材１０だけでなく、水平方向に９０度向きを変えてこの予備第一取付プレート１２Ｄに対向する位置においてＨ形鋼３に嵌め込まれた別の野縁下地材１０にも、固定することができる。なお、第一取付プレート１２Ａ、第二取付プレート１２Ｂおよび予備第一取付プレート１２Ｄのそれぞれには、複数の固着具孔１２Ｅが形成されており、この固着具孔１２Ｅに、釘、ネジまたはビス等の防振吊木用固着具１２Ｆが通されることによって、防振吊木１２が野縁下地材１０および野縁部材１３に固定される。
【００３３】
また、遮音構造１では、図１および図２に示すように、野縁下地材１０の下部から垂設された防振吊木１２の下部において、野縁部材１３が取り付けられている。この野縁部材１３は、複数の角材が格子状に軸組みされた部材であって、天井一面を覆うようにして配置され、複数の防振吊木１２によって固定される。
【００３４】
さらに、遮音構造１では、図１に示すように、野縁部材１３の上に、吸音効果および断熱効果のある吸音材１４が敷き詰められている。具体的には、吸音材１４は、上記したＨ形鋼３の上フランジ部３Ａと下フランジ部３Ｂとの間に敷き詰められたものと同様のものであり、この吸音材１４が、格子状の野縁部材１３を構成する角材の上において、隙間なく敷き詰められて、載置される。なお、遮音構造１では、ロックウールとグラスウールとで双方の遮音性能を比較すると、吸音材１４としてロックウールが用いられることが好ましい。
【００３５】
また、遮音構造１では、野縁部材１３の下に、天井石膏ボード１５が２枚重ねて取り付けられている。具体的には、この天井石膏ボード１５は、天井用の強化石膏ボードであって、石膏の芯にガラス繊維などの無機繊維が加えられたものである。これらの天井石膏ボード１５は、野縁部材１３の下において、天井一面を覆うようにして配置され、釘、ネジまたはビス等の固着具によって野縁部材１３に固定される。なお、図１には図示していないが、２枚の天井石膏ボード１５を重ねて取り付ける際には、１層目の複数の天井石膏ボード１５によって形成される天井石膏ボード１５同士の繋ぎ目を、２層目の天井石膏ボード１５で塞ぐようにして配置し、それぞれの層における天井石膏ボード１５同士の継ぎ目が極力重ならないようにして施工されることが望ましい。なお、遮音構造１として、天井石膏ボード１５が２枚重ねである実施形態を示したが、天井石膏ボード１５の取り付けに十分な空間がとれない場合またはなるべく広い居住空間を確保する必要がある場合等には、天井石膏ボード１５が１枚だけで施工されていてもよい。
【００３６】
さらに、遮音構造１では、２枚重ねて取り付けられた天井石膏ボード１５の下において、天井仕上げ材１６が貼着されている。具体的には、天井仕上げ材１６は、塩化ビニール樹脂等を主素材としたビニールシートに、紙などの裏打ちがされたビニールクロスであり、２枚重ねて取り付けられた天井石膏ボード１５の下に、接着剤によって貼着される。なお、遮音構造１では、天井仕上げ材１６にビニールクロスが貼着された実施形態を示したが、これに限定されるものではなく、天井仕上げ材１６が紙クロス等の他の天井仕上げ材で構成されているものであってもよく、また、天井仕上げ材１６を取り付けず、ペンキ等が塗布されて天井が仕上げられているものであってもよい。
【００３７】
また、遮音構造１では、図１に示すように、柱１７の周囲における側面のうち少なくとも室内側になる側面に沿って、耐火材として壁石膏ボード１９が設けられている。具体的には、壁石膏ボード１９は、耐火材用下地１８を介して、構造躯体２であるＨ形鋼３に固定されて設けられる。この壁石膏ボード１９は、床石膏ボード７と同様の超硬質で高強度の普通硬質石膏ボードにより構成され、耐火性能に優れている。また、耐火材用下地１８は、略Ｃ字状のリップ溝形鋼または角柱状の軽角形鋼等の軽量形鋼材（以下「ＬＧＳ材」とする。）により構成される。具体的な取付方法としては、Ｈ形鋼３の長手方向に沿って、かつ、下フランジ部３Ｂの下端において、略コ字状に下方が開口した金属製のレール部材であるランナー（図示せず）が、溶接によって固定される。この固定されたランナーの開口部（図示せず）において、直立させたＬＧＳ材の上端部が嵌め込まれ、釘、ネジまたはビス等の固着具によって、ランナーとＬＧＳ材とが固定される。これにより、Ｈ形鋼３と耐火材用下地１８とが固定される。さらに、この固定された耐火材用下地１８に沿わせて壁石膏ボード１９を直立させ、釘、ネジ、ビスまたはステープル等の固着具によって、耐火材用下地１８と壁石膏ボード１９とが固定される。これにより、壁石膏ボード１９が、柱１７における室内側の側面に沿って設けられる。なお、壁石膏ボード１９は、１枚のみで施工されてもよく、複数枚重ねて施工されていてもよい。
【００３８】
また、図１には図示していないが、耐火材用下地１８は、木製の板材等で構成されていてもよい。この場合には、壁石膏ボード１９は、耐火材用下地１８を介して、柱１７に固定されて設けられる。耐火材用下地１８には、柱１７の幅寸法から張り出す幅に形成された２枚の木製の板材等が用いられる。具体的な取付方法としては、この２枚の板材等を直立させ、柱１７の周囲における側面のうち対向する２側面を挟むようにして配置し、釘、ネジ、ビス等の固着具によって、柱１７と２枚の板材等とが固定される。また、この固定された２枚の板材等における室内側の縁において、直立させた壁石膏ボード１９が配置され、釘、ネジ、ビスまたはステープル等の固着具によって、２枚の板材等と壁石膏ボード１９とが固定される。これにより、柱１７と耐火材用下地１８とが固定され、また、耐火材用下地１８と壁石膏ボード１９とが固定される。なお、耐火材用下地１８に木製の板材等を用いる場合には、柱１７と壁石膏ボード１９との間に、耐火材用下地１８が柱１７から張り出すぶんにおいて隙間が設けられる。また、耐火材用下地１８に木製の板材等を用いる場合には、壁石膏ボード１９に、天井石膏ボード１５と同様の石膏の芯にガラス繊維などの無機繊維が加えられた強化石膏ボードを用いることが好ましい。
【００３９】
さらに、上記した柱１７、耐火材用下地１８および壁石膏ボード１９等からなる構造では、耐火材用下地１８であるＬＧＳ材または木製の板材等と、普通硬質石膏ボードまたは強化石膏ボード等の種々の石膏ボードから選択される１枚または複数枚の壁石膏ボード１９とを、所定の条件を満たすように組み合わせて施工することで、耐火構造（建築基準法施行令第１０７条に定める技術的基準に適合する耐火性能を持つ構造）または準耐火構造（建築基準法施行令第１０７条の２に定める技術的基準に適合する耐火性能を持つ構造）に準拠した構造とすることができる。なお、遮音構造１において、耐火構造または準耐火構造に準拠した構造を採用するか否かは任意であり、柱１７、耐火材用下地１８および壁石膏ボード１９等のそれぞれの構成についても、上記したものに限定されるものではない。
【００４０】
ここまで、遮音構造１における下層階１００の天井裏部分の構造を説明したが、下層階１００の天井裏部分の構造を他の構造と組み合わせて用いる場合等には、上記した下層階１００の天井裏部分の構造のみで施工されてもよく、この点は上層階２００の床下部分の構造と同様である。
【００４１】
以上、図１および図２に基づいて遮音構造１について説明したが、以下においては、第二の実施形態として、図３に基づき、野縁下地材１０の下部において吊木受け１１が設けられた吊木受け遮音構造２０について、説明する。
【００４２】
吊木受け１１とは、図３に示すように、野縁下地材１０の下部において接合され、互いに対向するＨ形鋼３にわたって横架して設けられる角材である。吊木受け遮音構造２０では、この吊木受け１１に防振吊木１２が複数固定され、この防振吊木１２の下部に野縁部材１３が固定される。すなわち、吊木受け遮音構造２０では、これらの複数の部材を介して下層階１００の天井が設けられる。したがって、下層階１００の天井が、梁を構成するＨ形鋼３または界床のＡＬＣ材４から直接吊るされておらず、また、下層階１００の天井が、上記した複数の部材を介して、梁を構成するＨ形鋼３や界床のＡＬＣ材４から一定の距離を空けて設けられることで、上層階２００からの床衝撃音がより下層階１００に伝わりにくい遮音構造とすることができる。なお、防振吊木１２の固定方法は、防振吊木１２を野縁下地材１０に代えて吊木受け１１に取り付ける点以外は、遮音構造１と同様である。
【００４３】
以上、吊木受け１１について説明したが、吊木受け遮音構造２０は、その防振吊木１２が吊木受け１１を介して取り付けられている点以外の構成は、遮音構造１と同様である。そのため、吊木受け遮音構造２０におけるその他の構成についての説明は、省略する。なお、本考案に係る実施形態として、下層階１００の天井裏の空間が十分に確保できる場合等には上記した吊木受け遮音構造２０が、下層階１００の天井裏の空間が十分に確保できない場合等には、吊木受け１１を設けずに、野縁下地材１０に直接防振吊木１２を取り付ける遮音構造１が、それぞれ選択的に施工される。
【００４４】
次に、本実施形態の遮音構造１および吊木受け遮音構造２０の効果について説明する。
【００４５】
遮音構造１および吊木受け遮音構造２０は、構造躯体２において梁を構成するＨ形鋼３の上に取り付けられたＡＬＣ材４と、ＡＬＣ材４の上に敷設された遮音マット５と、遮音マット５の上に敷設された合板６と、合板６の上に敷設された床石膏ボード７とを備え、合板６と床石膏ボード７とが弾性接着剤８によって接着されている。すなわち、遮音構造１は、上層階２００において子供が飛び跳ねたり物が落下したりした際に、まず始めに、音を通しにくい性質である床石膏ボード７が、一定の床衝撃音を遮断する。次に、この床石膏ボード７の下には、合板６との間に弾性接着剤８が塗布されており、この弾性接着剤８が、硬化した後においても弾力性が残存することで、床衝撃音からの振動を吸収し、特に、軽量床衝撃音を軽減する。続けて、この弾性接着剤８で接着された合板６の下には、遮音マット５が敷設されており、この遮音マット５が、重量床衝撃音および軽量床衝撃音からの振動を吸収して、床衝撃音を軽減する。さらに、この遮音マット５の下で、かつ、構造躯体２を構成するＨ形鋼３の上には、ＡＬＣ材４が敷設されており、このＡＬＣ材４のコンクリート内部の気泡において、重量床衝撃音および軽量床衝撃音の双方が吸音される。したがって、遮音構造１および吊木受け遮音構造２０全体として、高い遮音性能を発揮することができる。
【００４６】
また、遮音構造１は、構造躯体２において梁を構成するＨ形鋼３に取り付けられた野縁下地材１０と、野縁下地材１０の下部に取り付けられた防振吊木１２と、防振吊木１２の下部に取り付けられた野縁部材１３と、野縁部材１３の下に取り付けられた天井石膏ボード１５とを備え、野縁部材１３の上に吸音材１４が敷設されている。すなわち、遮音構造１では、床衝撃音を下層階１００においても遮音することができる。上層階２００と下層階１００とは、上層階２００と下層階１００の間に位置する界床すなわちＡＬＣ材４によって区切られているため、このＡＬＣ材４を通じて床衝撃音からの振動が下層階１００に伝わりやすい。したがって、完全に床衝撃音を遮断することは容易ではない。そこで、遮音構造１では、通常の吊木に代えて防振吊木１２を使用し、この防振吊木１２に床衝撃音からの振動を吸収させ、上層階２００と下層階１００とを音環境としてできる限り独立した状態にすることで、下層階１００の天井に伝わる床衝撃音を抑制することができる。また、遮音構造１では、防振吊木１２に取り付けられた野縁部材１３の下に天井石膏ボード１５が取り付けられ、さらに、この野縁部材１３の上には吸音材１４が敷設されていることから、上層階２００からの床衝撃音をこの吸音材１４で吸音するとともに、吸収しきれなかった床衝撃音を天井石膏ボード１５で遮断することができる。したがって、遮音構造１全体として、高い遮音性能を発揮することができる。
【００４７】
さらに、吊木受け遮音構造２０では、上記した遮音構造１における構成に加えて、野縁下地材１０と防振吊木１２とが、野縁下地材１０の下部に取り付けられた吊木受け１１を介して取り付けられている。すなわち、野縁下地材１０と防振吊木１２との間に吊木受け１１を設けることで、防振吊木１２の取り付けをより安定させることができる。また、防振吊木１２が、野縁下地材１０からさらに吊木受け１１を介して設けられることで、床衝撃音からの振動がより伝わりにくくなり、遮音性能を一層高めることができる。
【００４８】
さらに、遮音構造１および吊木受け遮音構造２０は、天井石膏ボード１５が２枚重ねになっている。すなわち、音を通しにくい性質を持つ石膏ボードを２枚重ねにすることで、下層階１００に伝わる床衝撃音に対する遮断性をより一層高めることができる。
【００４９】
遮音構造１および吊木受け遮音構造２０は、構造躯体２を構成するＨ形鋼３のウェブ部３Ｃに沿って吸音材１４が敷き詰められている。したがって、遮音構造１および吊木受け遮音構造２０は、この吸音材１４が構造躯体２を構成するＨ形鋼３から伝わる床衝撃音を吸音することで、遮音性能をより高めることができる。
【００５０】
以上、本考案の実施形態を詳述したが、本考案は上記実施形態に限定されるものではない。そして、本考案は、実用新案登録請求の範囲に記載された事項を逸脱することがなければ、種々の設計変更を行うことが可能である。
【００５１】
また、野縁下地材１０、吊木受け１１および野縁部材１３等における角材の長さ、幅および厚さ等の規格、Ｈ形鋼３の上下フランジ部３Ａ、３Ｂ間の長さ、各フランジ部３Ａ、３Ｂおよびウェブ部３Ｃ等の幅や厚さ、並びにＨ形鋼３自体の長さ等についても、建築予定の建築物に合わせて適宜選択されるものである。
【符号の説明】
【００５２】
１      遮音構造
２      構造躯体
３      Ｈ形鋼
３Ａ    上フランジ部
３Ｂ    下フランジ部
３Ｃ    ウェブ部
４      ＡＬＣ材（軽量気泡コンクリート材）
５      遮音マット
６      合板
７      床石膏ボード
８      弾性接着剤
９      床仕上げ材
１０    野縁下地材
１１    吊木受け
１２    防振吊木
１２Ａ  第一取付プレート
１２Ｂ  第二取付プレート
１２Ｃ  防振部材
１２Ｄ  予備第一取付プレート
１２Ｅ  固着具孔
１２Ｆ  防振吊木用固着具
１３    野縁部材
１４    吸音材
１５    天井石膏ボード
１６    天井仕上げ材
１７    柱
１８    耐火材用下地
１９    壁石膏ボード
２０    吊木受け遮音構造
１００  下層階
２００  上層階
【手続補正２】
【補正対象書類名】実用新案登録請求の範囲
【補正対象項目名】全文
【補正方法】変更
【補正の内容】
【実用新案登録請求の範囲】
【請求項１】
構造躯体の上に取り付けられた軽量気泡コンクリート材と、
前記軽量気泡コンクリート材の上に敷設された遮音マットと、
前記遮音マットの上に敷設された合板と、
前記合板の上に敷設された床石膏ボードと、を備え、
前記合板と前記床石膏ボードとが弾性接着剤によって接着された、
ことを特徴とする建築物の遮音構造。
【請求項２】
前記構造躯体に取り付けられた野縁下地材と、
前記野縁下地材に取り付けられた防振吊木と、
前記防振吊木に取り付けられた野縁部材と、
前記野縁部材の下に取り付けられた天井石膏ボードと、を備え、
前記野縁部材の上に吸音材が敷設された、
ことを特徴とする請求項１に記載された建築物の遮音構造。
【請求項３】
前記天井石膏ボードが２枚重ねである、
ことを特徴とする請求項２に記載された建築物の遮音構造。
【請求項４】
前記野縁下地材と前記防振吊木とが、前記野縁下地材に取り付けられた吊木受けを介して取り付けられている、
ことを特徴とする請求項２または請求項３に記載の建築物の遮音構造。
【請求項５】
前記構造躯体がＨ形鋼であり、
前記Ｈ形鋼のウェブ部に沿って吸音材が敷き詰められた、
ことを特徴とする請求項１から請求項４のいずれか１項に記載された建築物の遮音構造。